(57)【要約】  本発明はネットワーク接続方法、装置、プログラム及び記録媒体に関わる。前記方法は、接続待ちのデバイスから送信されるネットワーク接続要求を受信した場合、接続しようとするルータのサービスセット識別子及び接続パスワードを入力するように通知するステップと、入力された前記サービスセット識別子及び接続パスワードをネットワーク接続履歴データにおけるサービスセット識別子及び接続パスワードと比較するステップと、入力された前記サービスセット識別子及び接続パスワードが前記ネットワーク接続履歴データにおけるサービスセット識別子及び接続パスワードに一致する場合、入力された前記サービスセット及び接続パスワードを前記接続待ちデバイスに送信し、前記接続待ちデバイスは受信した前記サービスセット識別子及び接続パスワードに基づいて対応する前記サーバに接続するステップとを含む。【選択図】図１
2017514428.tif 000002
【特許請求の範囲】
【請求項１】
端末に適用されるネットワーク接続方法であって、
前記方法は、
接続待ちのデバイスから送信されるネットワーク接続要求を受信した場合、接続しようとするルータのサービスセット識別子及び接続パスワードを入力するように通知するステップと、
入力された前記サービスセット識別子及び接続パスワードをネットワーク接続履歴データにおけるサービスセット識別子及び接続パスワードと比較するステップと、
入力された前記サービスセット識別子及び接続パスワードが前記ネットワーク接続履歴データにおけるサービスセット識別子及び接続パスワードに一致する場合、入力された前記サービスセット識別子及び接続パスワードを前記接続待ちデバイスに送信し、前記接続待ちデバイスは受信した前記サービスセット識別子及び接続パスワードに基づいて対応するサーバに接続するステップと
を含むことを特徴とするネットワーク接続方法。
【請求項２】
前記方法は、更に、
入力された前記サービスセット識別子及び接続パスワードが前記ネットワーク接続履歴データにおけるサービスセット識別子及び接続パスワードに一致していない場合、入力されたサービスセット識別子及び接続パスワード、又は、ネットワーク接続履歴データにおけるサービスセット識別子及び接続パスワードを選択するように通知するステップと、
前記ネットワーク接続履歴データにおけるサービスセット識別子及び接続パスワードに対する選択操作を受信した場合、選択された前記ネットワーク接続履歴データにおけるサービスセット識別子及び接続パスワードが表示されないようにするステップと、
選択された前記ネットワーク接続履歴データにおけるサービスセット識別子及び接続パスワードを前記接続待ちデバイスに送信するステップと
を含むことを特徴とする請求項１に記載のネットワーク接続方法。
【請求項３】
入力された前記サービスセット識別子及び接続パスワードを前記接続待ちデバイスに送信するステップは、
入力された前記サービスセット識別子及び接続パスワードに基づいて前記サーバに接続するステップと、
前記サーバへの接続が成功した場合、入力された前記サービスセット識別子及び接続パスワードを前記接続待ちデバイスに送信するステップと
を含むことを特徴とする請求項１に記載のネットワーク接続方法。
【請求項４】
前記方法は、更に、
前記サーバへの接続が失敗した場合、前記ルータへの接続が失敗したことを通知するステップ
を含むことを特徴とする請求項３に記載のネットワーク接続方法。
【請求項５】
端末に適用されるネットワーク接続方法であって、
前記方法は、
接続待ちのデバイスから送信されるネットワーク接続要求を受信した場合、接続しようとするルータのサービスセット識別子及び接続パスワードを入力するように通知するステップと、
入力された前記サービスセット識別子及び接続パスワードに基づいてサーバに接続するステップと、
前記サーバへの接続が成功した場合、入力された前記ルータのサービスセット及び接続パスワードを前記接続待ちデバイスに送信し、前記接続待ちデバイスは受信した前記サービスセット識別子及び接続パスワードに基づいて対応する前記サーバに接続するステップと
を含むことを特徴とするネットワーク接続方法。
【請求項６】
端末に適用されるネットワーク接続装置であって、
前記装置は、
接続待ちのデバイスから送信されるネットワーク接続要求を受信した場合、接続しようとするルータのサービスセット識別子及び接続パスワードを入力するように通知する通知モジュールと、
入力された前記サービスセット識別子及び接続パスワードを予め記憶されたネットワーク接続履歴データにおけるサービスセット識別子及び接続パスワードと比較する比較モジュールと、
入力された前記サービスセット識別子及び接続パスワードが前記ネットワーク接続履歴データにおけるサービスセット識別子及び接続パスワードに一致する場合、入力された前記サービスセット識別子及び接続パスワードを前記接続待ちデバイスに送信し、前記接続待ちデバイスは、受信した前記サービスセット識別子及び接続パスワードに基づいて対応するサーバに接続する送信モジュールと
を備えることを特徴とするネットワーク接続装置。
【請求項７】
前記装置は、更に表示モジュールを含み、
前記通知モジュールは、入力された前記サービスセット識別子及び接続パスワードが前記ネットワーク接続履歴データにおけるサービスセット識別子及び接続パスワードに一致していない場合、入力されたサービスセット識別子及び接続パスワード、又は、ネットワーク接続履歴データにおけるサービスセット識別子及び接続パスワードを選択するように通知し、
前記表示モジュールは、前記ネットワーク接続履歴データにおけるサービスセット識別子及び接続パスワードに対する選択操作を受信した場合、選択された前記ネットワーク接続履歴データにおけるサービスセット識別子及び接続パスワードを表示しないようにし、
前記送信モジュールは、選択された前記ネットワーク接続履歴データにおけるサービスセット識別子及び接続パスワードを前記接続待ちデバイスに送信する
ことを特徴とする請求項６に記載のネットワーク接続装置。
【請求項８】
前記送信モジュールは、
入力された前記サービスセット識別子及び接続パスワードに基づいて前記サーバに接続する接続サブモジュールと、
前記サーバへの接続が成功した場合、入力された前記サービスセット識別子及び接続パスワードを前記接続待ちデバイスに送信する送信サブモジュールと
を有することを特徴とする請求項６に記載のネットワーク接続装置。
【請求項９】
前記通知モジュールは、前記サーバへの接続が失敗した場合、前記ルータへの接続が失敗したことを通知することを特徴とする請求項８に記載のネットワーク接続装置。
【請求項１０】
端末に適用されるネットワーク接続装置であって、
前記装置は、
接続待ちのデバイスから送信されるネットワーク接続要求を受信した場合、接続しようとするルータのサービスセット識別子及び接続パスワードを入力するように通知する通知モジュールと、
前記入力されたサービスセット識別子及び接続パスワードに基づいてサーバに接続する接続モジュールと、
前記サーバへの接続が成功した場合、前記入力されたルータのサービスセット及び接続パスワードを前記接続待ちデバイスに送信し、前記接続待ちデバイスは受信した前記サービスセット識別子及び接続パスワードに基づいて対応する前記サーバに接続する送信モジュールと
を備えることを特徴とするネットワーク接続装置。
【請求項１１】
プロセッサと、
プロセッサが実行可能な指令を記憶するためのメモリと
を備え、
前記プロセッサは、
接続待ちのデバイスから送信されるネットワーク接続要求を受信した場合、接続しようとするルータのサービスセット識別子及び接続パスワードを入力するように通知し、
入力された前記サービスセット識別子及び接続パスワードをネットワーク接続履歴データにおけるサービスセット識別子及び接続パスワードと比較し、
入力された前記サービスセット識別子及び接続パスワードが前記ネットワーク接続履歴データにおけるサービスセット識別子及び接続パスワードに一致する場合、入力された前記サービスセット識別子及び接続パスワードを前記接続待ちデバイスに送信し、前記接続待ちデバイスは受信した前記サービスセット識別子及び接続パスワードに基づいて対応するサーバに接続する
ように構成されることを特徴とするネットワーク接続装置。
【請求項１２】
プロセッサと、
プロセッサが実行可能な指令を記憶するためのメモリと
を備え、
前記プロセッサは、
接続待ちのデバイスから送信されるネットワーク接続要求を受信した場合、接続しようとするルータのサービスセット識別子及び接続パスワードを入力するように通知し、
入力された前記サービスセット識別子及び接続パスワードに基づいてサーバに接続し、
前記サーバへの接続が成功した場合、入力された前記ルータのサービスセット及び接続パスワードを前記接続待ちデバイスに送信し、前記接続待ちデバイスは受信した前記サービスセット識別子及び接続パスワードに基づいて対応する前記サーバに接続する
ように構成されることを特徴とするネットワーク接続装置。
【発明の詳細な説明】
【技術分野】
【０００１】
本発明は無線通信技術分野に関わり、特にネットワーク接続方法及び装置に関わる。
【背景技術】
【０００２】
現在、例えばＴＶボックス、スマートプラグ、スマート空気清浄器、モバイルルーター（Ｍｏｂｉｌｅ  ｒｏｕｔｅｒ）等のようなネットワーク接続機能を有する多くのスマートデバイスが現れた。これらのデバイスはネットワークに接続され得るが、入力インターフェースを有しないため、初めてネットワークに接続する際、ユーザは例えば携帯電話、コンピュータ等のような入力インターフェースを有する他のデバイスを通じて、接続しようとするルータのサービスセット識別子及び接続パスワードをこれらのスマートデバイスに送信し、これらのスマートデバイスのネットワークへの接続を可能にする必要がある。
【発明の概要】
【０００３】
本発明の実施例はネットワーク接続方法及び装置を提供する。
【０００４】
本発明の実施例の第１の態様によれば、端末に適用されるネットワーク接続方法を提供し、前記方法は、
接続待ちのデバイスから送信されるネットワーク接続要求を受信した場合、接続しようとするルータのサービスセット識別子及び接続パスワードを入力するように通知するステップと、
入力された前記サービスセット識別子及び接続パスワードをネットワーク接続履歴データにおけるサービスセット識別子及び接続パスワードと比較するステップと、
入力された前記サービスセット識別子及び接続パスワードが前記ネットワーク接続履歴データにおけるサービスセット識別子及び接続パスワードに一致する場合、入力された前記サービスセット識別子及び接続パスワードを前記接続待ちデバイスに送信し、前記接続待ちデバイスは受信した前記サービスセット識別子及び接続パスワードに基づいて対応するサーバに接続するステップとを含む。
【０００５】
本実施例において、端末はネットワーク接続要求を受信した後、ルータのサービスセット識別子（ＳＳＩＤ、Ｓｅｒｖｉｃｅ  Ｓｅｔ  Ｉｄｅｎｔｉｆｉｅｒ）及び接続パスワードの入力インターフェースを提供し、ユーザがインターフェースにＳＳＩＤ及び接続パスワードを入力した後、端末はユーザが入力したＳＳＩＤ及び接続パスワードを予め記憶したネットワーク接続履歴データと比較する。比較した結果、一致である場合、ユーザが入力したＳＳＩＤ及び接続パスワードをブロードキャスト方式で接続待ちデバイスに送信する。モニタリング状態にある接続待ちデバイスはブロードキャストメッセージを受信した後、ＳＳＩＤ及び接続パスワードを抽出することで、指定されたルータに接続要求を送信し、該ルータとネットワーク接続を確立することができる。このように、接続待ちデバイスが取得するＳＳＩＤ及び接続パスワードの正確性を高め、接続待ちデバイスがルータに接続される成功率を高めた。
【０００６】
好ましくは、前記方法は更に、
入力された前記サービスセット識別子及び接続パスワードが前記ネットワーク接続履歴データにおけるサービスセット識別子及び接続パスワードに一致していない場合、入力されたサービスセット識別子及び接続パスワード、又は、ネットワーク接続履歴データにおけるサービスセット識別子及び接続パスワードを選択するように通知するステップと、
前記ネットワーク接続履歴データにおけるサービスセット識別子及び接続パスワードに対する選択操作を受信した場合、選択された前記ネットワーク接続履歴データにおけるサービスセット識別子及び接続パスワードが表示されないようにするステップと、
選択された前記ネットワーク接続履歴データにおけるサービスセット識別子及び接続パスワードを前記接続待ちデバイスに送信するステップとを含む。
【０００７】
好ましい手段において、ユーザが入力したＳＳＩＤ及び接続パスワードが履歴データに記憶されたものと一致していない場合、端末はユーザにユーザ自身が入力したＳＳＩＤ及び接続パスワード、又は、履歴データにおけるＳＳＩＤ及び接続パスワードを選択して接続待ちデバイスにブロードキャストするように通知することができる。ユーザが履歴データにおけるＳＳＩＤ又は接続パスワードを選択した場合、端末は直接該ＳＳＩＤ及び接続パスワードを接続待ちデバイスにブロードキャストし、ユーザにＳＳＩＤ及び接続パスワードを告知しない。このように、端末が接続したことのあるルータのＳＳＩＤ及び接続パスワードで接続待ちデバイスが接続を行うようにすることで、ネットワーク接続の成功率を高め、さらに、端末において履歴データにおけるＳＳＩＤ及び接続パスワードを表示せず、ルータのＳＳＩＤ及び接続パスワードの機密性を高めた。
【０００８】
好ましくは、入力された前記サービスセット識別子及び接続パスワードを前記接続待ちデバイスに送信するステップは、
入力された前記サービスセット識別子及び接続パスワードに基づいて前記サーバに接続するステップと、
前記サーバへの接続が成功した場合、入力された前記サービスセット識別子及び接続パスワードを前記接続待ちデバイスに送信するステップとを含む。
【０００９】
好ましい手段において、端末はＳＳＩＤ及び接続パスワードをブロードキャストする前に、ユーザが入力したＳＳＩＤ及び接続パスワードで対応するサーバへの接続を試み、接続が成功した場合、該ＳＳＩＤ及び接続パスワードが正確であり、該サーバが正常に動作することを説明し、接続待ちデバイスがサーバに接続される成功率を更に高めた。
【００１０】
好ましくは、前記方法は更に、
前記サーバへの接続が失敗した場合、前記ルータへの接続が失敗したことを通知するステップを含む。
【００１１】
好ましい手段において、端末がサーバデバイスに接続した場合、該ＳＳＩＤ及び接続パスワードの間違い又はサーバの故障が要因である可能性があり、端末はユーザに通知を出し、ユーザは通知に基づいて原因を探ることができ、接続待ちデバイスがサーバに接続される成功率を更に高めた。
【００１２】
本発明の実施例の第２の態様によれば、端末に適用されるネットワーク接続方法を提供し、前記方法は、
接続待ちのデバイスから送信されるネットワーク接続要求を受信した場合、接続しようとするルータのサービスセット識別子及び接続パスワードを入力するように通知するステップと、
入力された前記サービスセット識別子及び接続パスワードに基づいてサーバに接続するステップと、
前記サーバへの接続が成功した場合、入力された前記ルータのサービスセット及び接続パスワードを前記接続待ちデバイスに送信し、前記接続待ちデバイスは受信した前記サービスセット識別子及び接続パスワードに基づいて対応する前記サーバに接続するステップとを含む。
【００１３】
本実施例において、端末はＳＳＩＤ及び接続パスワードをブロードキャストする前に、ユーザが入力したＳＳＩＤ及び接続パスワードで対応するサーバへの接続を試み、接続が成功した場合、該ＳＳＩＤ及び接続パスワードが正確であり、該サーバが正常に動作するとみなされる。このように、接続待ちデバイスが取得したＳＳＩＤ及び接続パスワードの正確性を高め、接続待ちデバイスがサーバに接続される成功率を高めた。
【００１４】
本発明の実施例の第３の態様によれば、端末に適用されるネットワーク接続装置を提供し、前記装置は、
接続待ちのデバイスから送信されるネットワーク接続要求を受信した場合、接続しようとするルータのサービスセット識別子及び接続パスワードを入力するように通知する通知モジュールと、
入力された前記サービスセット識別子及び接続パスワードを予め記憶されたネットワーク接続履歴データにおけるサービスセット識別子及び接続パスワードと比較する比較モジュールと、
入力された前記サービスセット識別子及び接続パスワードが前記ネットワーク接続履歴データにおけるサービスセット識別子及び接続パスワードに一致する場合、入力された前記サービスセット識別子及び接続パスワードを前記接続待ちデバイスに送信し、前記接続待ちデバイスは受信した前記サービスセット識別子及び接続パスワードに基づいて対応するサーバに接続する送信モジュールとを備える。
【００１５】
好ましくは、前記装置は、更に表示モジュールを含み、
前記通知モジュールは、入力された前記サービスセット識別子及び接続パスワードが前記ネットワーク接続履歴データにおけるサービスセット識別子及び接続パスワードに一致していない場合、入力されたサービスセット識別子及び接続パスワード、又は、ネットワーク接続履歴データにおけるサービスセット識別子及び接続パスワードを選択するように通知し、
前記表示モジュールは、前記ネットワーク接続履歴データにおけるサービスセット識別子及び接続パスワードに対する選択操作を受信した場合、選択された前記ネットワーク接続履歴データにおけるサービスセット識別子及び接続パスワードを表示しないようにし、
前記送信モジュールは、選択された前記ネットワーク接続履歴データにおけるサービスセット識別子及び接続パスワードを前記接続待ちデバイスに送信する。
【００１６】
好ましくは、前記送信モジュールは、
入力された前記サービスセット識別子及び接続パスワードに基づいて前記サーバに接続する接続サブモジュールと、
前記サーバへの接続が成功した場合、入力された前記サービスセット識別子及び接続パスワードを前記接続待ちデバイスに送信する送信サブモジュールとを有する。
【００１７】
好ましくは、前記通知モジュールは、前記サーバへの接続が失敗した場合、前記ルータへの接続が失敗したことを通知する。
【００１８】
本発明の実施例の第４の態様によれば、端末に適用されるネットワーク接続装置を提供し、前記装置は、
接続待ちのデバイスから送信されるネットワーク接続要求を受信した場合、接続しようとするルータのサービスセット識別子及び接続パスワードを入力するように通知する通知モジュールと、
前記入力されたサービスセット識別子及び接続パスワードに基づいてサーバに接続する接続モジュールと、
前記サーバへの接続が成功した場合、前記入力されたルータのサービスセット及び接続パスワードを前記接続待ちデバイスに送信し、前記接続待ちデバイスは受信した前記サービスセット識別子及び接続パスワードに基づいて対応する前記サーバに接続する送信モジュールとを備える。
【００１９】
本発明の実施例の第５の態様によれば、ネットワーク接続装置を提供し、
前記ネットワーク接続装置は、
プロセッサと、
プロセッサが実行可能な指令を記憶するためのメモリとを備え、
前記プロセッサは、
接続待ちのデバイスから送信されるネットワーク接続要求を受信した場合、接続しようとするルータのサービスセット識別子及び接続パスワードを入力するように通知し、
入力された前記サービスセット識別子及び接続パスワードをネットワーク接続履歴データにおけるサービスセット識別子及び接続パスワードと比較し、
入力された前記サービスセット識別子及び接続パスワードが前記ネットワーク接続履歴データにおけるサービスセット識別子及び接続パスワードに一致する場合、入力された前記サービスセット識別子及び接続パスワードを前記接続待ちデバイスに送信し、前記接続待ちデバイスは受信した前記サービスセット識別子及び接続パスワードに基づいて対応するサーバに接続するように構成される。
【００２０】
本発明の実施例の第６の態様によれば、ネットワーク接続装置を提供し、
前記ネットワーク接続装置は
プロセッサと、
プロセッサが実行可能な指令を記憶するためのメモリとを備え、
前記プロセッサは、
接続待ちのデバイスから送信されるネットワーク接続要求を受信した場合、接続しようとするルータのサービスセット識別子及び接続パスワードを入力するように通知し、
入力された前記サービスセット識別子及び接続パスワードに基づいてサーバに接続し、
前記サーバへの接続が成功した場合、入力された前記ルータのサービスセット及び接続パスワードを前記接続待ちデバイスに送信し、前記接続待ちデバイスは受信した前記サービスセット識別子及び接続パスワードに基づいて対応する前記サーバに接続するように構成される。
【００２１】
また、一般的な説明及び以下の詳細な説明は単なる例示及び解釈に過ぎず、本発明を限定するものではないことを理解すべきである。
【図面の簡単な説明】
【００２２】
ここで、図面は明細書に取り込まれて明細書の一部を構成し、本発明に合致する実施例を示し、また、明細書と共に本発明の原理の解釈に用いられる。
【図１】一つの例示的な実施例にかかるネットワーク接続方法のフローチャートである。
【図２】他の一つの例示的な実施例にかかるネットワーク接続方法のフローチャートである。
【図３】他の一つの例示的な実施例にかかるネットワーク接続方法のフローチャートである。
【図４】一つの例示的な実施例にかかるネットワーク接続方法のフローチャートである。
【図５】一つの例示的な実施例にかかるネットワーク接続装置のブロック図である。
【図６】他の一つの例示的な実施例にかかるネットワーク接続装置のブロック図である。
【図７】一つの例示的な実施例にかかる送信モジュールのブロック図である。
【図８】一つの例示的な実施例にかかるネットワーク接続装置のブロック図である。
【図９】一つの例示的な実施例にかかるネットワーク接続に使用される装置のブロック図である。
【発明を実施するための形態】
【００２３】
ここで例示的な実施例について詳細に説明を行うが、その例示は図面において示されている。以下の説明が図面に関する場合、特に示さない限り、異なる図面の中の同一の数字は同一又は類似の要素を表す。また、以下の例示的な実施例で説明する実施形態は、本発明と一致する全ての実施形態を代表するものではなく、これらは特許請求の範囲において詳述した、本発明の一部の態様と一致する装置及び方法の例に過ぎない。
【００２４】
図１は一つの例示的な実施例にかかるネットワーク接続方法のフローチャートである。図１に示すように、ネットワーク接続方法は端末に適用され得、以下のようなステップを含む。
【００２５】
ステップＳ１１において、接続待ちのデバイスから送信されるネットワーク接続要求を受信した場合、接続しようとするルータのサービスセット識別子及び接続パスワードを入力するように通知する。
【００２６】
ステップＳ１２において、入力されたサービスセット識別子及び接続パスワードをネットワーク接続履歴データにおけるサービスセット識別子及び接続パスワードと比較する。
【００２７】
ステップＳ１３において、入力されたサービスセット識別子及び接続パスワードがネットワーク接続履歴データにおけるサービスセット識別子及び接続パスワードに一致する場合、入力されたサービスセット及び接続パスワードを前記接続待ちデバイスに送信し、接続待ちデバイスは受信したサービスセット識別子及び接続パスワードに基づいて対応するサーバに接続する。
【００２８】
本実施例において、ＴＶボックス、スマートプラグ、スマート空気清浄器、モバイルルーターなどのようなネットワーク接続機能を有する接続待ちデバイスは、ルータに接続される前はモニタリング状態にあり、携帯電話又はコンピュータなどのような入力インターフェースを有する端末にネットワーク接続要求を送信する。端末はネットワーク接続要求を受信した後、ルータのサービスセット識別子（ＳＳＩＤ、Ｓｅｒｖｉｃｅ  Ｓｅｔ  Ｉｄｅｎｔｉｆｉｅｒ）及び接続パスワードの入力インターフェースを提供し、ユーザがインターフェースにＳＳＩＤ及び接続パスワードを入力した後、端末はユーザが入力したＳＳＩＤ及び接続パスワードを予め記憶したネットワーク接続履歴データと比較する。比較した結果、一致である場合、ユーザが入力したＳＳＩＤ及び接続パスワードをブロードキャスト方式で接続待ちデバイスに送信する。モニタリング状態にある接続待ちデバイスはブロードキャストメッセージを受信した後、ＳＳＩＤ及び接続パスワードを抽出することで、指定されたルータに接続要求を送信し、該ルータとネットワーク接続を確立することができる。このように、接続待ちデバイスが取得するＳＳＩＤ及び接続パスワードの正確性を高め、接続待ちデバイスがルータに接続される成功率を高めた。
【００２９】
図２は他の一つの例示的な実施例にかかるネットワーク接続方法のフローチャートであって、図２に示すように、好ましくは、該方法は更に以下のようなステップを含む。
【００３０】
ステップＳ２１において、入力された前記サービスセット識別子及び接続パスワードがネットワーク接続履歴データにおけるサービスセット識別子及び接続パスワードに一致していない場合、入力されたサービスセット識別子及び接続パスワード、又は、ネットワーク接続履歴データにおけるサービスセット識別子及び接続パスワードを選択するように通知する。
【００３１】
ステップＳ２２において、ネットワーク接続履歴データにおけるサービスセット識別子及び接続パスワードに対する選択操作を受信した場合、選択されたネットワーク接続履歴データにおけるサービスセット識別子及び接続パスワードが表示されないようにする。
【００３２】
ステップＳ２３において、選択されたネットワーク接続履歴データにおけるサービスセット識別子及び接続パスワードを接続待ちデバイスに送信する。
【００３３】
好ましい手段において、ユーザが入力したＳＳＩＤ及び接続パスワードが履歴データに記憶されたものと一致していない場合、端末はユーザにユーザ自身が入力したＳＳＩＤ及び接続パスワード、又は、履歴データにおけるＳＳＩＤ及び接続パスワードを選択して接続待ちデバイスにブロードキャストするように通知することができる。ユーザが履歴データにおけるＳＳＩＤ又は接続パスワードを選択した場合、端末は直接該ＳＳＩＤ及び接続パスワードを接続待ちデバイスにブロードキャストし、ユーザにＳＳＩＤ及び接続パスワードを告知しない。このように、端末が接続したことのあるルータのＳＳＩＤ及び接続パスワードで接続待ちデバイスが接続を行うようにすることで、ネットワーク接続の成功率を高め、さらに、端末において履歴データにおけるＳＳＩＤ及び接続パスワードを表示せず、ルータのＳＳＩＤ及び接続パスワードの機密性を高めた。
【００３４】
図３は他の一つの例示的な実施例にかかるネットワーク接続方法のフローチャートであって、図３に示すように、好ましくは、上記ステップＳ１３は以下のようなステップを含む。
【００３５】
ステップＳ３１において、入力されたサービスセット識別子及び接続パスワードに基づいてサーバに接続する。
【００３６】
ステップＳ３２において、サーバへの接続が成功した場合、入力されたサービスセット識別子及び接続パスワードを接続待ちデバイスに送信する。
【００３７】
好ましい手段において、端末はＳＳＩＤ及び接続パスワードをブロードキャストする前に、ユーザが入力したＳＳＩＤ及び接続パスワードで対応するサーバへの接続を試み、接続が成功した場合、該ＳＳＩＤ及び接続パスワードが正確であり、該サーバが正常に動作することを説明し、接続待ちデバイスがサーバに接続される成功率を更に高めた。
【００３８】
好ましくは、前記方法は更に、
前記サーバへの接続が失敗した場合、前記ルータへの接続が失敗したことを通知するステップを含む。
【００３９】
好ましい手段において、端末がサーバデバイスに接続した場合、該ＳＳＩＤ及び接続パスワードの間違い又はサーバの故障が要因である可能性があり、端末はユーザに通知を出し、ユーザは通知に基づいて原因を探ることができ、接続待ちデバイスがサーバに接続される成功率を更に高めた。
【００４０】
図４は一つの例示的な実施例にかかるネットワーク接続方法のフローチャートである。図４に示すように、ネットワーク接続方法は端末に適用され得、以下のようなステップを含む。
【００４１】
ステップＳ４１において、接続待ちのデバイスから送信されるネットワーク接続要求を受信した場合、接続しようとするルータのサービスセット識別子及び接続パスワードを入力するように通知する。
【００４２】
ステップＳ４２において、入力された前記サービスセット識別子及び接続パスワードに基づいてサーバに接続する。
【００４３】
ステップＳ４３において、サーバへの接続が成功した場合、入力されたルータのサービスセット及び接続パスワードを接続待ちデバイスに送信し、接続待ちデバイスは受信したサービスセット識別子及び接続パスワードに基づいて対応する前記サーバに接続する。
【００４４】
本実施例において、端末はＳＳＩＤ及び接続パスワードをブロードキャストする前に、ユーザが入力したＳＳＩＤ及び接続パスワードで対応するサーバへの接続を試み、接続が成功した場合、該ＳＳＩＤ及び接続パスワードが正確であり、該サーバが正常に動作するとみなされる。このように、接続待ちデバイスが取得したＳＳＩＤ及び接続パスワードの正確性を高め、接続待ちデバイスがサーバに接続される成功率を高めた。
【００４５】
図５は一つの例示的な実施例にかかるネットワーク接続装置のブロック図である。図５に示すように、該装置は端末に適用され得、通知モジュール５１、比較モジュール５２及び送信モジュール５３を備える。
【００４６】
通知モジュール５１は、接続待ちのデバイスから送信されるネットワーク接続要求を受信した場合、接続しようとするルータのサービスセット識別子及び接続パスワードを入力するように通知する。
【００４７】
比較モジュール５２は、入力された前記サービスセット識別子及び接続パスワードを予め記憶されたネットワーク接続履歴データにおけるサービスセット識別子及び接続パスワードと比較する。
【００４８】
送信モジュール５３は、入力されたサービスセット識別子及び接続パスワードがネットワーク接続履歴データにおけるサービスセット識別子及び接続パスワードに一致する場合、入力された前記サービスセット及び接続パスワードを前記接続待ちデバイスに送信し、前記接続待ちデバイスは受信した前記サービスセット識別子及び接続パスワードに基づいて対応する前記サーバに接続する。
【００４９】
図６は他の例示的な実施例にかかる一つのネットワーク接続装置のブロック図である。図６に示すように、好ましくは、前記装置は更に表示モジュール５４を備える。
【００５０】
前記通知モジュール５１は、入力された前記サービスセット識別子及び接続パスワードが前記ネットワーク接続履歴データにおけるサービスセット識別子及び接続パスワードに一致していない場合、入力されたサービスセット識別子及び接続パスワード、又は、ネットワーク接続履歴データにおけるサービスセット識別子及び接続パスワードを選択するように通知する。
【００５１】
前記表示モジュール５４は、前記ネットワーク接続履歴データにおけるサービスセット識別子及び接続パスワードに対する選択操作を受信した場合、選択された前記ネットワーク接続履歴データにおけるサービスセット識別子及び接続パスワードが表示されないようにする。
【００５２】
前記送信モジュール５３は、選択された前記ネットワーク接続履歴データにおけるサービスセット識別子及び接続パスワードを前記接続待ちデバイスに送信する。
【００５３】
図７は一つの例示的な実施例にかかる送信モジュールのブロック図である。図７に示すように、好ましくは、前記送信モジュール５３は、
入力された前記サービスセット識別子及び接続パスワードに基づいて前記サーバに接続する接続サブモジュール７１と、
前記サーバへの接続が成功した場合、入力された前記サービスセット識別子及び接続パスワードを前記接続待ちデバイスに送信する送信サブモジュール７２とを有する。
【００５４】
好ましくは、前記通知モジュール５１は、前記サーバへの接続が失敗した場合、前記ルータへの接続が失敗したことを通知する。
【００５５】
図８は一つの例示的な実施例にかかるネットワーク接続装置のブロック図である。図８に示すように、該装置は端末に適用され得、通知モジュール８１、接続モジュール８２及び送信モジュール８３を備える。
【００５６】
通知モジュール８１は、接続待ちのデバイスから送信されるネットワーク接続要求を受信した場合、接続しようとするルータのサービスセット識別子及び接続パスワードを入力するように通知する。
【００５７】
接続モジュール８２は、前記サービスセット識別子及び接続パスワードに基づいて前記サーバに接続する。
【００５８】
送信モジュール８３は、前記サーバへの接続が成功した場合、前記ルータのサービスセット及び接続パスワードを前記接続待ちデバイスに送信し、前記接続待ちデバイスは受信した前記サービスセット識別子及び接続パスワードに基づいて対応する前記サーバに接続する。
【００５９】
上述した実施例における装置に関しては、それぞれのモジュールが操作を実行する具体的な方法は既に関連する実施例において詳細な説明を行っており、ここでは繰り返し説明しない。
【００６０】
本発明は更にネットワーク接続装置を提供し、ネットワーク接続装置は、
プロセッサと、
プロセッサが実行可能な指令を記憶するためのメモリとを備え、
前記プロセッサは、
接続待ちのデバイスから送信されるネットワーク接続要求を受信した場合、接続しようとするルータのサービスセット識別子及び接続パスワードを入力するように通知し、
入力された前記サービスセット識別子及び接続パスワードを前記ネットワーク接続履歴データにおけるサービスセット識別子及び接続パスワードと比較し、
入力された前記サービスセット識別子及び接続パスワードが前記ネットワーク接続履歴データにおけるサービスセット識別子及び接続パスワードに一致する場合、入力された前記サービスセット及び接続パスワードを前記接続待ちデバイスに送信し、前記接続待ちデバイスは受信した前記サービスセット識別子及び接続パスワードに基づいて対応する前記サーバに接続するように構成される。
【００６１】
本発明は更にネットワーク接続装置を提供し、ネットワーク接続装置は、
プロセッサと、
プロセッサが実行可能な指令を記憶するためのメモリとを備え、
前記プロセッサは、
接続待ちのデバイスから送信されるネットワーク接続要求を受信した場合、接続しようとするルータのサービスセット識別子及び接続パスワードを入力するように通知し、
入力された前記サービスセット識別子及び接続パスワードに基づいて前記サーバに接続し、
前記サーバへの接続が成功した場合、入力された前記ルータのサービスセット及び接続パスワードを前記接続待ちデバイスに送信し、前記接続待ちデバイスは受信した前記サービスセット識別子及び接続パスワードに基づいて対応する前記サーバに接続するように構成される。
【００６２】
図９は一つの例示的な実施例にかかるネットワーク接続のための装置のブロック図である。例えば、デバイス１３００は、携帯電話、コンピューター、デジタルブロードキャスト端末、メッセージ送受信デバイス、ゲームコンソール、タブレットデバイス、医療デバイス、健康デバイス、携帯情報端末（ＰＤＡ、パーソナルデジタルアシスタント）等であってもよい。
【００６３】
図９を参照して、デバイス１３００は、プロセス部材１３０２、メモリ１３０４、電源部材１３０６、マルチメディア部材１３０８、オーディオ部材１３１０、入出力（Ｉ／Ｏ）インターフェース１３１２、センサ部材１３１４、及び通信部材１３１６のような一つ以上の部材を含んでよい。
【００６４】
プロセス部材１３０２は、一般的にはデバイス１３００の全体の操作を制御するものであり、例えば、表示、電話呼び出し、データ通信、カメラ操作、及び記録操作と関連する操作を制御する。プロセス部材１３０２は、一つ以上のプロセッサ１３２０を含み、これらによって命令を実行することにより、上記の方法の全部、或いは一部のステップを実現するようにしてもよい。なお、プロセス部材１３０２は、一つ以上のモジュールを含み、これらによってプロセス部材１３０２と他の部材との間のインタラクションを容易にするようにしてもよい。例えば、プロセス部材１３０２は、マルチメディアモジュールを含み、これらによってマルチメディア部材１３０８とプロセス部材１３０２との間のインタラクションを容易にするようにしてもよい。
【００６５】
メモリ１３０４は、各種類のデータを記憶することによりデバイス１３００の操作を支援するように構成される。これらのデータの例は、デバイス１３００において操作されるいずれのアプリケーションプログラム又は方法の命令、連絡対象データ、電話帳データ、メッセージ、画像、ビデオ等を含む。メモリ１３０４は、いずれの種類の揮発性、不揮発性記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＰＲＯＭ（Ｐｒｏｇｒａｍｍａｂｌｅ  ＲＯＭ）、ＲＯＭ、磁気メモリ、フラッシュメモリ、磁気ディスク、或いは光ディスクである。
【００６６】
電源部材１３０６は、デバイス１３００の多様な部材に電力を供給する。電源部材１３０６は、電源管理システム、一つ以上の電源、及びデバイス１３００のための電力の生成、管理及び割り当てに関連する他の部材を含んでもよい。
【００６７】
マルチメディア部材１３０８は、前記デバイス１３００とユーザとの間に一つの出力インターフェースを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或いはスライドの動作の境界だけでなく、前記のタッチ、或いはスライド操作に係る継続時間及び圧力も検出できる。上記の実施例において、マルチメディア部材１３０８は、一つのフロントカメラ、及び／又はリアカメラを含む。デバイス１３００が、例えば撮影モード、或いはビデオモード等の操作モードにある場合、フロントカメラ、及び／又はリアカメラは外部からマルチメディアデータを受信できる。フロントカメラとリアカメラのそれぞれは、一つの固定型の光レンズ系、或いは可変焦点距離と光学ズーム機能を有するものであってもよい。
【００６８】
オーディオ部材１３１０は、オーディオ信号を入出力するように構成されてもよい。例えば、オーディオ部材１３１０は、一つのマイク（ＭＩＣ）を含み、デバイス１３００が、例えば呼出しモード、記録モード、及び音声認識モード等の操作モードにある場合、マイクは外部のオーディオ信号を受信することができる。受信されたオーディオ信号は、さらにメモリ１３０４に記憶されたり、通信部材１３１６を介して送信されたりされる。上記の実施例において、オーディオ部材１３１０は、オーディオ信号を出力するための一つのスピーカーをさらに含む。
【００６９】
Ｉ／Ｏインターフェース１３１２は、プロセス部材１３０２と周辺インターフェースモジュールの間にインターフェースを提供するものであり、上記周辺インターフェースモジュールは、キーボード、クリックホイール、ボタン等であってもよい。これらのボタンは、ホームページボタン、ボリュームボタン、起動ボタン、ロッキングボタンを含んでもよいが、これらに限定されない。
【００７０】
センサ部材１３１４は、デバイス１３００に各方面の状態に対する評価を提供するための一つ以上のセンサを含む。例えば、センサ部材１３１４は、デバイス１３００のＯＮ／ＯＦＦ状態、デバイス１３００のディスプレイと小さなキーパッドのような部材の相対的な位置決めを検出できる。また、例えば、センサ部材１３１４は、デバイス１３００、或いはデバイス１３００の一つの部材の位置変更、ユーザとデバイス１３００とが接触しているか否か、デバイス１３００の方位、又は加速／減速、デバイス１３００の温度の変化を検出できる。センサ部材１３１４は、何れの物理的接触がない状態にて付近の物体の存在を検出するための近接センサを含んでもよい。センサ部材１３１４は、撮影アプリケーションに適用するため、ＣＭＯＳ、又はＣＣＤイメージセンサのような光センサを含んでもよい。上記の実施例において、当該センサ部材１３１４は、加速度センサ、ジャイロスコープセンサ、磁気センサ、圧力センサ、及び温度センサをさらに含んでもよい。
【００７１】
通信部材１３１６は、デバイス１３００と他の機器の間に有線、又は無線形態の通信を提供する。デバイス１３００は、例えばＷｉＦｉ（登録商標）、２Ｇ、３Ｇ、或いはこれらの組み合わせのような、通信規格に基づいた無線ネットワークに接続されてもよい。一つの例示的な実施例において、通信部材１３１６は、ブロードキャストチャンネルを介して外部のブロードキャスト管理システムからのブロードキャスト信号、又はブロードキャストに関連する情報を受信する。一つの例示的な実施例において、前記通信部材１３１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  Ｉｄｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  ＷｉｄｅＢａｎｄ）技術、ＢＴ（Ｂｌｕｅｔｏｏｔｈ（登録商標））技術、他の技術に基づいて実現できる。
【００７２】
例示的な実施例において、デバイス１３００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【００７３】
例示的な実施例において、さらに、命令を含むコンピュータ読取り可能な非一時的な記録媒体、例えば命令を含むメモリ１３０４を提供しており、デバイス１３００のプロセッサ１３２０により上記命令を実行して上記方法を実現する。例えば、前記コンピュータ読取り可能な非一時的な記録媒体は、ＲＯＭ、ＲＡＭ、ＣＤ−ＲＯＭ、磁気テープ、フロッピー（登録商標）ディスク、光データ記憶デバイス等である。
【００７４】
コンピュータ読み取り可能な非一時的な記憶媒体は、前記記憶媒体の指令が移動端末のプロセッサによって実行される場合、移動端末がネットワーク接続方法を実行できるようにする。前記方法は、
接続待ちのデバイスから送信されるネットワーク接続要求を受信した場合、接続しようとするルータのサービスセット識別子及び接続パスワードを入力するように通知するステップと、
入力された前記サービスセット識別子及び接続パスワードを前記ネットワーク接続履歴データにおけるサービスセット識別子及び接続パスワードと比較するステップと、
入力された前記サービスセット識別子及び接続パスワードが前記ネットワーク接続履歴データにおけるサービスセット識別子及び接続パスワードに一致する場合、入力された前記サービスセット及び接続パスワードを前記接続待ちデバイスに送信し、前記接続待ちデバイスは受信した前記サービスセット識別子及び接続パスワードに基づいて対応する前記サーバに接続するステップとを含む。
【００７５】
好ましくは、前記方法は更に、
入力された前記サービスセット識別子及び接続パスワードが前記ネットワーク接続履歴データにおけるサービスセット識別子及び接続パスワードに一致していない場合、入力されたサービスセット識別子及び接続パスワード、又は、ネットワーク接続履歴データにおけるサービスセット識別子及び接続パスワードを選択するように通知するステップと、
前記ネットワーク接続履歴データにおけるサービスセット識別子及び接続パスワードに対する選択操作を受信した場合、選択された前記ネットワーク接続履歴データにおけるサービスセット識別子及び接続パスワードが表示されないようにするステップと、
選択された前記ネットワーク接続履歴データにおけるサービスセット識別子及び接続パスワードを前記接続待ちデバイスに送信するステップとを含む。
【００７６】
好ましくは、入力された前記サービスセット識別子及び接続パスワードを前記接続待ちデバイスに送信するステップは、
入力された前記サービスセット識別子及び接続パスワードに基づいて前記サーバに接続するステップと、
前記サーバへの接続が成功した場合、入力された前記サービスセット識別子及び接続パスワードを前記接続待ちデバイスに送信するステップとを含む。
【００７７】
好ましくは、前記方法は更に、
前記サーバへの接続が失敗した場合、前記ルータへの接続が失敗したことを通知するステップを含む。
【００７８】
コンピュータ読み取り可能な非一時的な記憶媒体は、前記記憶媒体の指令が移動端末のプロセッサによって実行される場合、移動端末がネットワーク接続方法を実行できるようにする。前記方法は
接続待ちのデバイスから送信されるネットワーク接続要求を受信した場合、接続しようとするルータのサービスセット識別子及び接続パスワードを入力するように通知するステップと、
入力された前記サービスセット識別子及び接続パスワードに基づいて前記サーバに接続するステップと、
前記サーバへの接続が成功した場合、入力された前記ルータのサービスセット及び接続パスワードを前記接続待ちデバイスに送信し、前記接続待ちデバイスは受信した前記サービスセット識別子及び接続パスワードに基づいて対応する前記サーバに接続するステップとを含む。
【００７９】
当業者は明細書を検討し、ここで開示した発明を実践した後、本発明のその他の実施形態を容易に思いつくことができる。本願は本発明の全ての変更、用途又は適応性の変化を含む。これらの変更、用途又は適応性の変化は本発明の一般的な原理に従っており、本発明に未開示の本技術分野における周知技術又は慣用技術手段を含む。明細書及び実施例は例示的なものに過ぎず、本発明の真の範囲及び主旨は以下の特許請求の範囲によって示される。
【００８０】
本発明は、上記で説明した、また図面において示した寸分違わぬ構成に限定されず、その範囲を逸脱しない前提のもとで種々の変更及び修正を行うことができることを理解すべきである。本発明の範囲は付された特許請求の範囲によってのみ限定される。
【００８１】
本願は出願番号が２０１５１０１４６１７４．３であって、出願日が２０１５年３月３０日である中国特許出願に基づき、優先権を主張し、当該中国特許出願の全ての内容を本願に引用する。
【図１】
2017514428.tif 000003
【図２】
2017514428.tif 000004
【図３】
2017514428.tif 000005
【図４】
2017514428.tif 000006
【図５】
2017514428.tif 000007
【図６】
2017514428.tif 000008
【図７】
2017514428.tif 000009
【図８】
2017514428.tif 000010
【図９】
2017514428.tif 000011
【手続補正書】
【提出日】平成27年10月27日(2015.10.27)
【手続補正１】
【補正対象書類名】明細書
【補正対象項目名】全文
【補正方法】変更
【補正の内容】
【発明の詳細な説明】
【技術分野】
【０００１】
本発明は無線通信技術分野に関わり、特にネットワーク接続、装置、プログラム及び記録媒体に関わる。
【背景技術】
【０００２】
現在、例えばＴＶボックス、スマートプラグ、スマート空気清浄器、モバイルルーター（Ｍｏｂｉｌｅ  ｒｏｕｔｅｒ）等のようなネットワーク接続機能を有する多くのスマートデバイスが現れた。これらのデバイスはネットワークに接続され得るが、入力インターフェースを有しないため、初めてネットワークに接続する際、ユーザは例えば携帯電話、コンピュータ等のような入力インターフェースを有する他のデバイスを通じて、接続しようとするルータのサービスセット識別子及び接続パスワードをこれらのスマートデバイスに送信し、これらのスマートデバイスのネットワークへの接続を可能にする必要がある。
【発明の概要】
【０００３】
本発明の実施例はネットワーク接続方法、装置、プログラム及び記録媒体を提供する。
【０００４】
本発明の実施例の第１の態様によれば、端末に適用されるネットワーク接続方法を提供し、前記方法は、
接続待ちのデバイスから送信されるネットワーク接続要求を受信した場合、接続しようとするルータのサービスセット識別子及び接続パスワードを入力するように通知するステップと、
入力された前記サービスセット識別子及び接続パスワードをネットワーク接続履歴データにおけるサービスセット識別子及び接続パスワードと比較するステップと、
入力された前記サービスセット識別子及び接続パスワードが前記ネットワーク接続履歴データにおけるサービスセット識別子及び接続パスワードに一致する場合、入力された前記サービスセット識別子及び接続パスワードを前記接続待ちデバイスに送信し、前記接続待ちデバイスは受信した前記サービスセット識別子及び接続パスワードに基づいて対応するサーバに接続するステップとを含む。
【０００５】
本実施例において、端末はネットワーク接続要求を受信した後、ルータのサービスセット識別子（ＳＳＩＤ、Ｓｅｒｖｉｃｅ  Ｓｅｔ  Ｉｄｅｎｔｉｆｉｅｒ）及び接続パスワードの入力インターフェースを提供し、ユーザがインターフェースにＳＳＩＤ及び接続パスワードを入力した後、端末はユーザが入力したＳＳＩＤ及び接続パスワードを予め記憶したネットワーク接続履歴データと比較する。比較した結果、一致である場合、ユーザが入力したＳＳＩＤ及び接続パスワードをブロードキャスト方式で接続待ちデバイスに送信する。モニタリング状態にある接続待ちデバイスはブロードキャストメッセージを受信した後、ＳＳＩＤ及び接続パスワードを抽出することで、指定されたルータに接続要求を送信し、該ルータとネットワーク接続を確立することができる。このように、接続待ちデバイスが取得するＳＳＩＤ及び接続パスワードの正確性を高め、接続待ちデバイスがルータに接続される成功率を高めた。
【０００６】
好ましくは、前記方法は更に、
入力された前記サービスセット識別子及び接続パスワードが前記ネットワーク接続履歴データにおけるサービスセット識別子及び接続パスワードに一致していない場合、入力されたサービスセット識別子及び接続パスワード、又は、ネットワーク接続履歴データにおけるサービスセット識別子及び接続パスワードを選択するように通知するステップと、
前記ネットワーク接続履歴データにおけるサービスセット識別子及び接続パスワードに対する選択操作を受信した場合、選択された前記ネットワーク接続履歴データにおけるサービスセット識別子及び接続パスワードが表示されないようにするステップと、
選択された前記ネットワーク接続履歴データにおけるサービスセット識別子及び接続パスワードを前記接続待ちデバイスに送信するステップとを含む。
【０００７】
好ましい手段において、ユーザが入力したＳＳＩＤ及び接続パスワードが履歴データに記憶されたものと一致していない場合、端末はユーザにユーザ自身が入力したＳＳＩＤ及び接続パスワード、又は、履歴データにおけるＳＳＩＤ及び接続パスワードを選択して接続待ちデバイスにブロードキャストするように通知することができる。ユーザが履歴データにおけるＳＳＩＤ又は接続パスワードを選択した場合、端末は直接該ＳＳＩＤ及び接続パスワードを接続待ちデバイスにブロードキャストし、ユーザにＳＳＩＤ及び接続パスワードを告知しない。このように、端末が接続したことのあるルータのＳＳＩＤ及び接続パスワードで接続待ちデバイスが接続を行うようにすることで、ネットワーク接続の成功率を高め、さらに、端末において履歴データにおけるＳＳＩＤ及び接続パスワードを表示せず、ルータのＳＳＩＤ及び接続パスワードの機密性を高めた。
【０００８】
好ましくは、入力された前記サービスセット識別子及び接続パスワードを前記接続待ちデバイスに送信するステップは、
入力された前記サービスセット識別子及び接続パスワードに基づいて前記サーバに接続するステップと、
前記サーバへの接続が成功した場合、入力された前記サービスセット識別子及び接続パスワードを前記接続待ちデバイスに送信するステップとを含む。
【０００９】
好ましい手段において、端末はＳＳＩＤ及び接続パスワードをブロードキャストする前に、ユーザが入力したＳＳＩＤ及び接続パスワードで対応するサーバへの接続を試み、接続が成功した場合、該ＳＳＩＤ及び接続パスワードが正確であり、該サーバが正常に動作することを説明し、接続待ちデバイスがサーバに接続される成功率を更に高めた。
【００１０】
好ましくは、前記方法は更に、
前記サーバへの接続が失敗した場合、前記ルータへの接続が失敗したことを通知するステップを含む。
【００１１】
好ましい手段において、端末がサーバデバイスに接続できなかった場合、該ＳＳＩＤ及び接続パスワードの間違い又はサーバの故障が要因である可能性があり、端末はユーザに通知を出し、ユーザは通知に基づいて原因を探ることができ、接続待ちデバイスがサーバに接続される成功率を更に高めた。
【００１２】
本発明の実施例の第２の態様によれば、端末に適用されるネットワーク接続方法を提供し、前記方法は、
接続待ちのデバイスから送信されるネットワーク接続要求を受信した場合、接続しようとするルータのサービスセット識別子及び接続パスワードを入力するように通知するステップと、
入力された前記サービスセット識別子及び接続パスワードに基づいてサーバに接続するステップと、
前記サーバへの接続が成功した場合、入力された前記ルータのサービスセット及び接続パスワードを前記接続待ちデバイスに送信し、前記接続待ちデバイスは受信した前記サービスセット識別子及び接続パスワードに基づいて対応する前記サーバに接続するステップとを含む。
【００１３】
本実施例において、端末はＳＳＩＤ及び接続パスワードをブロードキャストする前に、ユーザが入力したＳＳＩＤ及び接続パスワードで対応するサーバへの接続を試み、接続が成功した場合、該ＳＳＩＤ及び接続パスワードが正確であり、該サーバが正常に動作するとみなされる。このように、接続待ちデバイスが取得したＳＳＩＤ及び接続パスワードの正確性を高め、接続待ちデバイスがサーバに接続される成功率を高めた。
【００１４】
本発明の実施例の第３の態様によれば、端末に適用されるネットワーク接続装置を提供し、前記装置は、
接続待ちのデバイスから送信されるネットワーク接続要求を受信した場合、接続しようとするルータのサービスセット識別子及び接続パスワードを入力するように通知する通知モジュールと、
入力された前記サービスセット識別子及び接続パスワードを予め記憶されたネットワーク接続履歴データにおけるサービスセット識別子及び接続パスワードと比較する比較モジュールと、
入力された前記サービスセット識別子及び接続パスワードが前記ネットワーク接続履歴データにおけるサービスセット識別子及び接続パスワードに一致する場合、入力された前記サービスセット識別子及び接続パスワードを前記接続待ちデバイスに送信し、前記接続待ちデバイスは受信した前記サービスセット識別子及び接続パスワードに基づいて対応するサーバに接続する送信モジュールとを備える。
【００１５】
好ましくは、前記装置は、更に表示モジュールを含み、
前記通知モジュールは、入力された前記サービスセット識別子及び接続パスワードが前記ネットワーク接続履歴データにおけるサービスセット識別子及び接続パスワードに一致していない場合、入力されたサービスセット識別子及び接続パスワード、又は、ネットワーク接続履歴データにおけるサービスセット識別子及び接続パスワードを選択するように通知し、
前記表示モジュールは、前記ネットワーク接続履歴データにおけるサービスセット識別子及び接続パスワードに対する選択操作を受信した場合、選択された前記ネットワーク接続履歴データにおけるサービスセット識別子及び接続パスワードを表示しないようにし、
前記送信モジュールは、選択された前記ネットワーク接続履歴データにおけるサービスセット識別子及び接続パスワードを前記接続待ちデバイスに送信する。
【００１６】
好ましくは、前記送信モジュールは、
入力された前記サービスセット識別子及び接続パスワードに基づいて前記サーバに接続する接続サブモジュールと、
前記サーバへの接続が成功した場合、入力された前記サービスセット識別子及び接続パスワードを前記接続待ちデバイスに送信する送信サブモジュールとを有する。
【００１７】
好ましくは、前記通知モジュールは、前記サーバへの接続が失敗した場合、前記ルータへの接続が失敗したことを通知する。
【００１８】
本発明の実施例の第４の態様によれば、端末に適用されるネットワーク接続装置を提供し、前記装置は、
接続待ちのデバイスから送信されるネットワーク接続要求を受信した場合、接続しようとするルータのサービスセット識別子及び接続パスワードを入力するように通知する通知モジュールと、
前記入力されたサービスセット識別子及び接続パスワードに基づいてサーバに接続する接続モジュールと、
前記サーバへの接続が成功した場合、前記入力されたルータのサービスセット及び接続パスワードを前記接続待ちデバイスに送信し、前記接続待ちデバイスは受信した前記サービスセット識別子及び接続パスワードに基づいて対応する前記サーバに接続する送信モジュールとを備える。
【００１９】
本発明の実施例の第５の態様によれば、ネットワーク接続装置を提供し、
前記ネットワーク接続装置は、
プロセッサと、
プロセッサが実行可能な指令を記憶するためのメモリとを備え、
前記プロセッサは、
接続待ちのデバイスから送信されるネットワーク接続要求を受信した場合、接続しようとするルータのサービスセット識別子及び接続パスワードを入力するように通知し、
入力された前記サービスセット識別子及び接続パスワードをネットワーク接続履歴データにおけるサービスセット識別子及び接続パスワードと比較し、
入力された前記サービスセット識別子及び接続パスワードが前記ネットワーク接続履歴データにおけるサービスセット識別子及び接続パスワードに一致する場合、入力された前記サービスセット識別子及び接続パスワードを前記接続待ちデバイスに送信し、前記接続待ちデバイスは受信した前記サービスセット識別子及び接続パスワードに基づいて対応するサーバに接続するように構成される。
【００２０】
本発明の実施例の第６の態様によれば、ネットワーク接続装置を提供し、
前記ネットワーク接続装置は
プロセッサと、
プロセッサが実行可能な指令を記憶するためのメモリとを備え、
前記プロセッサは、
接続待ちのデバイスから送信されるネットワーク接続要求を受信した場合、接続しようとするルータのサービスセット識別子及び接続パスワードを入力するように通知し、
入力された前記サービスセット識別子及び接続パスワードに基づいてサーバに接続し、
前記サーバへの接続が成功した場合、入力された前記ルータのサービスセット及び接続パスワードを前記接続待ちデバイスに送信し、前記接続待ちデバイスは受信した前記サービスセット識別子及び接続パスワードに基づいて対応する前記サーバに接続するように構成される。
本発明の実施例の第７の態様によれば、プロセッサに実行されることにより、前記ネットワーク接続方法を実現する記録媒体に記録されたプログラムを提供する。
本発明の実施例の第８の態様によれば、前記プログラムが記録された記録媒体を提供する。
【００２１】
また、一般的な説明及び以下の詳細な説明は単なる例示及び解釈に過ぎず、本発明を限定するものではないことを理解すべきである。
【図面の簡単な説明】
【００２２】
ここで、図面は明細書に取り込まれて明細書の一部を構成し、本発明に合致する実施例を示し、また、明細書と共に本発明の原理の解釈に用いられる。
【図１】一つの例示的な実施例にかかるネットワーク接続方法のフローチャートである。
【図２】他の一つの例示的な実施例にかかるネットワーク接続方法のフローチャートである。
【図３】他の一つの例示的な実施例にかかるネットワーク接続方法のフローチャートである。
【図４】一つの例示的な実施例にかかるネットワーク接続方法のフローチャートである。
【図５】一つの例示的な実施例にかかるネットワーク接続装置のブロック図である。
【図６】他の一つの例示的な実施例にかかるネットワーク接続装置のブロック図である。
【図７】一つの例示的な実施例にかかる送信モジュールのブロック図である。
【図８】一つの例示的な実施例にかかるネットワーク接続装置のブロック図である。
【図９】一つの例示的な実施例にかかるネットワーク接続に使用される装置のブロック図である。
【発明を実施するための形態】
【００２３】
ここで例示的な実施例について詳細に説明を行うが、その例示は図面において示されている。以下の説明が図面に関する場合、特に示さない限り、異なる図面の中の同一の数字は同一又は類似の要素を表す。また、以下の例示的な実施例で説明する実施形態は、本発明と一致する全ての実施形態を代表するものではなく、これらは特許請求の範囲において詳述した、本発明の一部の態様と一致する装置及び方法の例に過ぎない。
【００２４】
図１は一つの例示的な実施例にかかるネットワーク接続方法のフローチャートである。図１に示すように、ネットワーク接続方法は端末に適用され得、以下のようなステップを含む。
【００２５】
ステップＳ１１において、接続待ちのデバイスから送信されるネットワーク接続要求を受信した場合、接続しようとするルータのサービスセット識別子及び接続パスワードを入力するように通知する。
【００２６】
ステップＳ１２において、入力されたサービスセット識別子及び接続パスワードをネットワーク接続履歴データにおけるサービスセット識別子及び接続パスワードと比較する。
【００２７】
ステップＳ１３において、入力されたサービスセット識別子及び接続パスワードがネットワーク接続履歴データにおけるサービスセット識別子及び接続パスワードに一致する場合、入力されたサービスセット及び接続パスワードを前記接続待ちデバイスに送信し、接続待ちデバイスは受信したサービスセット識別子及び接続パスワードに基づいて対応するサーバに接続する。
【００２８】
本実施例において、ＴＶボックス、スマートプラグ、スマート空気清浄器、モバイルルーターなどのようなネットワーク接続機能を有する接続待ちデバイスは、ルータに接続される前はモニタリング状態にあり、携帯電話又はコンピュータなどのような入力インターフェースを有する端末にネットワーク接続要求を送信する。端末はネットワーク接続要求を受信した後、ルータのサービスセット識別子（ＳＳＩＤ、Ｓｅｒｖｉｃｅ  Ｓｅｔ  Ｉｄｅｎｔｉｆｉｅｒ）及び接続パスワードの入力インターフェースを提供し、ユーザがインターフェースにＳＳＩＤ及び接続パスワードを入力した後、端末はユーザが入力したＳＳＩＤ及び接続パスワードを予め記憶したネットワーク接続履歴データと比較する。比較した結果、一致である場合、ユーザが入力したＳＳＩＤ及び接続パスワードをブロードキャスト方式で接続待ちデバイスに送信する。モニタリング状態にある接続待ちデバイスはブロードキャストメッセージを受信した後、ＳＳＩＤ及び接続パスワードを抽出することで、指定されたルータに接続要求を送信し、該ルータとネットワーク接続を確立することができる。このように、接続待ちデバイスが取得するＳＳＩＤ及び接続パスワードの正確性を高め、接続待ちデバイスがルータに接続される成功率を高めた。
【００２９】
図２は他の一つの例示的な実施例にかかるネットワーク接続方法のフローチャートであって、図２に示すように、好ましくは、該方法は更に以下のようなステップを含む。
【００３０】
ステップＳ２１において、入力された前記サービスセット識別子及び接続パスワードがネットワーク接続履歴データにおけるサービスセット識別子及び接続パスワードに一致していない場合、入力されたサービスセット識別子及び接続パスワード、又は、ネットワーク接続履歴データにおけるサービスセット識別子及び接続パスワードを選択するように通知する。
【００３１】
ステップＳ２２において、ネットワーク接続履歴データにおけるサービスセット識別子及び接続パスワードに対する選択操作を受信した場合、選択されたネットワーク接続履歴データにおけるサービスセット識別子及び接続パスワードが表示されないようにする。
【００３２】
ステップＳ２３において、選択されたネットワーク接続履歴データにおけるサービスセット識別子及び接続パスワードを接続待ちデバイスに送信する。
【００３３】
好ましい手段において、ユーザが入力したＳＳＩＤ及び接続パスワードが履歴データに記憶されたものと一致していない場合、端末はユーザにユーザ自身が入力したＳＳＩＤ及び接続パスワード、又は、履歴データにおけるＳＳＩＤ及び接続パスワードを選択して接続待ちデバイスにブロードキャストするように通知することができる。ユーザが履歴データにおけるＳＳＩＤ又は接続パスワードを選択した場合、端末は直接該ＳＳＩＤ及び接続パスワードを接続待ちデバイスにブロードキャストし、ユーザにＳＳＩＤ及び接続パスワードを告知しない。このように、端末が接続したことのあるルータのＳＳＩＤ及び接続パスワードで接続待ちデバイスが接続を行うようにすることで、ネットワーク接続の成功率を高め、さらに、端末において履歴データにおけるＳＳＩＤ及び接続パスワードを表示せず、ルータのＳＳＩＤ及び接続パスワードの機密性を高めた。
【００３４】
図３は他の一つの例示的な実施例にかかるネットワーク接続方法のフローチャートであって、図３に示すように、好ましくは、上記ステップＳ１３は以下のようなステップを含む。
【００３５】
ステップＳ３１において、入力されたサービスセット識別子及び接続パスワードに基づいてサーバに接続する。
【００３６】
ステップＳ３２において、サーバへの接続が成功した場合、入力されたサービスセット識別子及び接続パスワードを接続待ちデバイスに送信する。
【００３７】
好ましい手段において、端末はＳＳＩＤ及び接続パスワードをブロードキャストする前に、ユーザが入力したＳＳＩＤ及び接続パスワードで対応するサーバへの接続を試み、接続が成功した場合、該ＳＳＩＤ及び接続パスワードが正確であり、該サーバが正常に動作することを説明し、接続待ちデバイスがサーバに接続される成功率を更に高めた。
【００３８】
好ましくは、前記方法は更に、
前記サーバへの接続が失敗した場合、前記ルータへの接続が失敗したことを通知するステップを含む。
【００３９】
好ましい手段において、端末がサーバデバイスに接続できなかった場合、該ＳＳＩＤ及び接続パスワードの間違い又はサーバの故障が要因である可能性があり、端末はユーザに通知を出し、ユーザは通知に基づいて原因を探ることができ、接続待ちデバイスがサーバに接続される成功率を更に高めた。
【００４０】
図４は一つの例示的な実施例にかかるネットワーク接続方法のフローチャートである。図４に示すように、ネットワーク接続方法は端末に適用され得、以下のようなステップを含む。
【００４１】
ステップＳ４１において、接続待ちのデバイスから送信されるネットワーク接続要求を受信した場合、接続しようとするルータのサービスセット識別子及び接続パスワードを入力するように通知する。
【００４２】
ステップＳ４２において、入力された前記サービスセット識別子及び接続パスワードに基づいてサーバに接続する。
【００４３】
ステップＳ４３において、サーバへの接続が成功した場合、入力されたルータのサービスセット及び接続パスワードを接続待ちデバイスに送信し、接続待ちデバイスは受信したサービスセット識別子及び接続パスワードに基づいて対応する前記サーバに接続する。
【００４４】
本実施例において、端末はＳＳＩＤ及び接続パスワードをブロードキャストする前に、ユーザが入力したＳＳＩＤ及び接続パスワードで対応するサーバへの接続を試み、接続が成功した場合、該ＳＳＩＤ及び接続パスワードが正確であり、該サーバが正常に動作するとみなされる。このように、接続待ちデバイスが取得したＳＳＩＤ及び接続パスワードの正確性を高め、接続待ちデバイスがサーバに接続される成功率を高めた。
【００４５】
図５は一つの例示的な実施例にかかるネットワーク接続装置のブロック図である。図５に示すように、該装置は端末に適用され得、通知モジュール５１、比較モジュール５２及び送信モジュール５３を備える。
【００４６】
通知モジュール５１は、接続待ちのデバイスから送信されるネットワーク接続要求を受信した場合、接続しようとするルータのサービスセット識別子及び接続パスワードを入力するように通知する。
【００４７】
比較モジュール５２は、入力された前記サービスセット識別子及び接続パスワードを予め記憶されたネットワーク接続履歴データにおけるサービスセット識別子及び接続パスワードと比較する。
【００４８】
送信モジュール５３は、入力されたサービスセット識別子及び接続パスワードがネットワーク接続履歴データにおけるサービスセット識別子及び接続パスワードに一致する場合、入力された前記サービスセット及び接続パスワードを前記接続待ちデバイスに送信し、前記接続待ちデバイスは受信した前記サービスセット識別子及び接続パスワードに基づいて対応する前記サーバに接続する。
【００４９】
図６は他の例示的な実施例にかかる一つのネットワーク接続装置のブロック図である。図６に示すように、好ましくは、前記装置は更に表示モジュール５４を備える。
【００５０】
前記通知モジュール５１は、入力された前記サービスセット識別子及び接続パスワードが前記ネットワーク接続履歴データにおけるサービスセット識別子及び接続パスワードに一致していない場合、入力されたサービスセット識別子及び接続パスワード、又は、ネットワーク接続履歴データにおけるサービスセット識別子及び接続パスワードを選択するように通知する。
【００５１】
前記表示モジュール５４は、前記ネットワーク接続履歴データにおけるサービスセット識別子及び接続パスワードに対する選択操作を受信した場合、選択された前記ネットワーク接続履歴データにおけるサービスセット識別子及び接続パスワードが表示されないようにする。
【００５２】
前記送信モジュール５３は、選択された前記ネットワーク接続履歴データにおけるサービスセット識別子及び接続パスワードを前記接続待ちデバイスに送信する。
【００５３】
図７は一つの例示的な実施例にかかる送信モジュールのブロック図である。図７に示すように、好ましくは、前記送信モジュール５３は、
入力された前記サービスセット識別子及び接続パスワードに基づいて前記サーバに接続する接続サブモジュール７１と、
前記サーバへの接続が成功した場合、入力された前記サービスセット識別子及び接続パスワードを前記接続待ちデバイスに送信する送信サブモジュール７２とを有する。
【００５４】
好ましくは、前記通知モジュール５１は、前記サーバへの接続が失敗した場合、前記ルータへの接続が失敗したことを通知する。
【００５５】
図８は一つの例示的な実施例にかかるネットワーク接続装置のブロック図である。図８に示すように、該装置は端末に適用され得、通知モジュール８１、接続モジュール８２及び送信モジュール８３を備える。
【００５６】
通知モジュール８１は、接続待ちのデバイスから送信されるネットワーク接続要求を受信した場合、接続しようとするルータのサービスセット識別子及び接続パスワードを入力するように通知する。
【００５７】
接続モジュール８２は、前記サービスセット識別子及び接続パスワードに基づいて前記サーバに接続する。
【００５８】
送信モジュール８３は、前記サーバへの接続が成功した場合、前記ルータのサービスセット及び接続パスワードを前記接続待ちデバイスに送信し、前記接続待ちデバイスは受信した前記サービスセット識別子及び接続パスワードに基づいて対応する前記サーバに接続する。
【００５９】
上述した実施例における装置に関しては、それぞれのモジュールが操作を実行する具体的な方法は既に関連する実施例において詳細な説明を行っており、ここでは繰り返し説明しない。
【００６０】
本発明は更にネットワーク接続装置を提供し、ネットワーク接続装置は、
プロセッサと、
プロセッサが実行可能な指令を記憶するためのメモリとを備え、
前記プロセッサは、
接続待ちのデバイスから送信されるネットワーク接続要求を受信した場合、接続しようとするルータのサービスセット識別子及び接続パスワードを入力するように通知し、
入力された前記サービスセット識別子及び接続パスワードを前記ネットワーク接続履歴データにおけるサービスセット識別子及び接続パスワードと比較し、
入力された前記サービスセット識別子及び接続パスワードが前記ネットワーク接続履歴データにおけるサービスセット識別子及び接続パスワードに一致する場合、入力された前記サービスセット及び接続パスワードを前記接続待ちデバイスに送信し、前記接続待ちデバイスは受信した前記サービスセット識別子及び接続パスワードに基づいて対応する前記サーバに接続するように構成される。
【００６１】
本発明は更にネットワーク接続装置を提供し、ネットワーク接続装置は、
プロセッサと、
プロセッサが実行可能な指令を記憶するためのメモリとを備え、
前記プロセッサは、
接続待ちのデバイスから送信されるネットワーク接続要求を受信した場合、接続しようとするルータのサービスセット識別子及び接続パスワードを入力するように通知し、
入力された前記サービスセット識別子及び接続パスワードに基づいて前記サーバに接続し、
前記サーバへの接続が成功した場合、入力された前記ルータのサービスセット及び接続パスワードを前記接続待ちデバイスに送信し、前記接続待ちデバイスは受信した前記サービスセット識別子及び接続パスワードに基づいて対応する前記サーバに接続するように構成される。
【００６２】
図９は一つの例示的な実施例にかかるネットワーク接続のための装置のブロック図である。例えば、デバイス１３００は、携帯電話、コンピューター、デジタルブロードキャスト端末、メッセージ送受信デバイス、ゲームコンソール、タブレットデバイス、医療デバイス、健康デバイス、携帯情報端末（ＰＤＡ、パーソナルデジタルアシスタント）等であってもよい。
【００６３】
図９を参照して、デバイス１３００は、プロセス部材１３０２、メモリ１３０４、電源部材１３０６、マルチメディア部材１３０８、オーディオ部材１３１０、入出力（Ｉ／Ｏ）インターフェース１３１２、センサ部材１３１４、及び通信部材１３１６のような一つ以上の部材を含んでよい。
【００６４】
プロセス部材１３０２は、一般的にはデバイス１３００の全体の操作を制御するものであり、例えば、表示、電話呼び出し、データ通信、カメラ操作、及び記録操作と関連する操作を制御する。プロセス部材１３０２は、一つ以上のプロセッサ１３２０を含み、これらによって命令を実行することにより、上記の方法の全部、或いは一部のステップを実現するようにしてもよい。なお、プロセス部材１３０２は、一つ以上のモジュールを含み、これらによってプロセス部材１３０２と他の部材との間のインタラクションを容易にするようにしてもよい。例えば、プロセス部材１３０２は、マルチメディアモジュールを含み、これらによってマルチメディア部材１３０８とプロセス部材１３０２との間のインタラクションを容易にするようにしてもよい。
【００６５】
メモリ１３０４は、各種類のデータを記憶することによりデバイス１３００の操作を支援するように構成される。これらのデータの例は、デバイス１３００において操作されるいずれのアプリケーションプログラム又は方法の命令、連絡対象データ、電話帳データ、メッセージ、画像、ビデオ等を含む。メモリ１３０４は、いずれの種類の揮発性、不揮発性記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＰＲＯＭ（Ｐｒｏｇｒａｍｍａｂｌｅ  ＲＯＭ）、ＲＯＭ、磁気メモリ、フラッシュメモリ、磁気ディスク、或いは光ディスクである。
【００６６】
電源部材１３０６は、デバイス１３００の多様な部材に電力を供給する。電源部材１３０６は、電源管理システム、一つ以上の電源、及びデバイス１３００のための電力の生成、管理及び割り当てに関連する他の部材を含んでもよい。
【００６７】
マルチメディア部材１３０８は、前記デバイス１３００とユーザとの間に一つの出力インターフェースを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或いはスライドの動作の境界だけでなく、前記のタッチ、或いはスライド操作に係る継続時間及び圧力も検出できる。上記の実施例において、マルチメディア部材１３０８は、一つのフロントカメラ、及び／又はリアカメラを含む。デバイス１３００が、例えば撮影モード、或いはビデオモード等の操作モードにある場合、フロントカメラ、及び／又はリアカメラは外部からマルチメディアデータを受信できる。フロントカメラとリアカメラのそれぞれは、一つの固定型の光レンズ系、或いは可変焦点距離と光学ズーム機能を有するものであってもよい。
【００６８】
オーディオ部材１３１０は、オーディオ信号を入出力するように構成されてもよい。例えば、オーディオ部材１３１０は、一つのマイク（ＭＩＣ）を含み、デバイス１３００が、例えば呼出しモード、記録モード、及び音声認識モード等の操作モードにある場合、マイクは外部のオーディオ信号を受信することができる。受信されたオーディオ信号は、さらにメモリ１３０４に記憶されたり、通信部材１３１６を介して送信されたりされる。上記の実施例において、オーディオ部材１３１０は、オーディオ信号を出力するための一つのスピーカーをさらに含む。
【００６９】
Ｉ／Ｏインターフェース１３１２は、プロセス部材１３０２と周辺インターフェースモジュールの間にインターフェースを提供するものであり、上記周辺インターフェースモジュールは、キーボード、クリックホイール、ボタン等であってもよい。これらのボタンは、ホームページボタン、ボリュームボタン、起動ボタン、ロッキングボタンを含んでもよいが、これらに限定されない。
【００７０】
センサ部材１３１４は、デバイス１３００に各方面の状態に対する評価を提供するための一つ以上のセンサを含む。例えば、センサ部材１３１４は、デバイス１３００のＯＮ／ＯＦＦ状態、デバイス１３００のディスプレイと小さなキーパッドのような部材の相対的な位置決めを検出できる。また、例えば、センサ部材１３１４は、デバイス１３００、或いはデバイス１３００の一つの部材の位置変更、ユーザとデバイス１３００とが接触しているか否か、デバイス１３００の方位、又は加速／減速、デバイス１３００の温度の変化を検出できる。センサ部材１３１４は、何れの物理的接触がない状態にて付近の物体の存在を検出するための近接センサを含んでもよい。センサ部材１３１４は、撮影アプリケーションに適用するため、ＣＭＯＳ、又はＣＣＤイメージセンサのような光センサを含んでもよい。上記の実施例において、当該センサ部材１３１４は、加速度センサ、ジャイロスコープセンサ、磁気センサ、圧力センサ、及び温度センサをさらに含んでもよい。
【００７１】
通信部材１３１６は、デバイス１３００と他の機器の間に有線、又は無線形態の通信を提供する。デバイス１３００は、例えばＷｉＦｉ（登録商標）、２Ｇ、３Ｇ、或いはこれらの組み合わせのような、通信規格に基づいた無線ネットワークに接続されてもよい。一つの例示的な実施例において、通信部材１３１６は、ブロードキャストチャンネルを介して外部のブロードキャスト管理システムからのブロードキャスト信号、又はブロードキャストに関連する情報を受信する。一つの例示的な実施例において、前記通信部材１３１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  Ｉｄｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  ＷｉｄｅＢａｎｄ）技術、ＢＴ（Ｂｌｕｅｔｏｏｔｈ（登録商標））技術、他の技術に基づいて実現できる。
【００７２】
例示的な実施例において、デバイス１３００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【００７３】
例示的な実施例において、さらに、命令を含むコンピュータ読取り可能な非一時的な記録媒体、例えば命令を含むメモリ１３０４を提供しており、デバイス１３００のプロセッサ１３２０により上記命令を実行して上記方法を実現する。例えば、前記コンピュータ読取り可能な非一時的な記録媒体は、ＲＯＭ、ＲＡＭ、ＣＤ−ＲＯＭ、磁気テープ、フロッピー（登録商標）ディスク、光データ記憶デバイス等である。
【００７４】
コンピュータ読み取り可能な非一時的な記憶媒体は、前記記憶媒体の指令が移動端末のプロセッサによって実行される場合、移動端末がネットワーク接続方法を実行できるようにする。前記方法は、
接続待ちのデバイスから送信されるネットワーク接続要求を受信した場合、接続しようとするルータのサービスセット識別子及び接続パスワードを入力するように通知するステップと、
入力された前記サービスセット識別子及び接続パスワードを前記ネットワーク接続履歴データにおけるサービスセット識別子及び接続パスワードと比較するステップと、
入力された前記サービスセット識別子及び接続パスワードが前記ネットワーク接続履歴データにおけるサービスセット識別子及び接続パスワードに一致する場合、入力された前記サービスセット及び接続パスワードを前記接続待ちデバイスに送信し、前記接続待ちデバイスは受信した前記サービスセット識別子及び接続パスワードに基づいて対応する前記サーバに接続するステップとを含む。
【００７５】
好ましくは、前記方法は更に、
入力された前記サービスセット識別子及び接続パスワードが前記ネットワーク接続履歴データにおけるサービスセット識別子及び接続パスワードに一致していない場合、入力されたサービスセット識別子及び接続パスワード、又は、ネットワーク接続履歴データにおけるサービスセット識別子及び接続パスワードを選択するように通知するステップと、
前記ネットワーク接続履歴データにおけるサービスセット識別子及び接続パスワードに対する選択操作を受信した場合、選択された前記ネットワーク接続履歴データにおけるサービスセット識別子及び接続パスワードが表示されないようにするステップと、
選択された前記ネットワーク接続履歴データにおけるサービスセット識別子及び接続パスワードを前記接続待ちデバイスに送信するステップとを含む。
【００７６】
好ましくは、入力された前記サービスセット識別子及び接続パスワードを前記接続待ちデバイスに送信するステップは、
入力された前記サービスセット識別子及び接続パスワードに基づいて前記サーバに接続するステップと、
前記サーバへの接続が成功した場合、入力された前記サービスセット識別子及び接続パスワードを前記接続待ちデバイスに送信するステップとを含む。
【００７７】
好ましくは、前記方法は更に、
前記サーバへの接続が失敗した場合、前記ルータへの接続が失敗したことを通知するステップを含む。
【００７８】
コンピュータ読み取り可能な非一時的な記憶媒体は、前記記憶媒体の指令が移動端末のプロセッサによって実行される場合、移動端末がネットワーク接続方法を実行できるようにする。前記方法は
接続待ちのデバイスから送信されるネットワーク接続要求を受信した場合、接続しようとするルータのサービスセット識別子及び接続パスワードを入力するように通知するステップと、
入力された前記サービスセット識別子及び接続パスワードに基づいて前記サーバに接続するステップと、
前記サーバへの接続が成功した場合、入力された前記ルータのサービスセット及び接続パスワードを前記接続待ちデバイスに送信し、前記接続待ちデバイスは受信した前記サービスセット識別子及び接続パスワードに基づいて対応する前記サーバに接続するステップとを含む。
【００７９】
当業者は明細書を検討し、ここで開示した発明を実践した後、本発明のその他の実施形態を容易に思いつくことができる。本願は本発明の全ての変更、用途又は適応性の変化を含む。これらの変更、用途又は適応性の変化は本発明の一般的な原理に従っており、本発明に未開示の本技術分野における周知技術又は慣用技術手段を含む。明細書及び実施例は例示的なものに過ぎず、本発明の真の範囲及び主旨は以下の特許請求の範囲によって示される。
【００８０】
本発明は、上記で説明した、また図面において示した寸分違わぬ構成に限定されず、その範囲を逸脱しない前提のもとで種々の変更及び修正を行うことができることを理解すべきである。本発明の範囲は付された特許請求の範囲によってのみ限定される。
【００８１】
本願は出願番号が２０１５１０１４６１７４．３であって、出願日が２０１５年３月３０日である中国特許出願に基づき、優先権を主張し、当該中国特許出願の全ての内容を本願に引用する。
【手続補正２】
【補正対象書類名】特許請求の範囲
【補正対象項目名】全文
【補正方法】変更
【補正の内容】
【特許請求の範囲】
【請求項１】
端末に適用されるネットワーク接続方法であって、
前記方法は、
接続待ちのデバイスから送信されるネットワーク接続要求を受信した場合、接続しようとするルータのサービスセット識別子及び接続パスワードを入力するように通知するステップと、
入力された前記サービスセット識別子及び接続パスワードをネットワーク接続履歴データにおけるサービスセット識別子及び接続パスワードと比較するステップと、
入力された前記サービスセット識別子及び接続パスワードが前記ネットワーク接続履歴データにおけるサービスセット識別子及び接続パスワードに一致する場合、入力された前記サービスセット識別子及び接続パスワードを前記接続待ちデバイスに送信し、前記接続待ちデバイスは受信した前記サービスセット識別子及び接続パスワードに基づいて対応するサーバに接続するステップと
を含むことを特徴とするネットワーク接続方法。
【請求項２】
前記方法は、更に、
入力された前記サービスセット識別子及び接続パスワードが前記ネットワーク接続履歴データにおけるサービスセット識別子及び接続パスワードに一致していない場合、入力されたサービスセット識別子及び接続パスワード、又は、ネットワーク接続履歴データにおけるサービスセット識別子及び接続パスワードを選択するように通知するステップと、
前記ネットワーク接続履歴データにおけるサービスセット識別子及び接続パスワードに対する選択操作を受信した場合、選択された前記ネットワーク接続履歴データにおけるサービスセット識別子及び接続パスワードが表示されないようにするステップと、
選択された前記ネットワーク接続履歴データにおけるサービスセット識別子及び接続パスワードを前記接続待ちデバイスに送信するステップと
を含むことを特徴とする請求項１に記載のネットワーク接続方法。
【請求項３】
入力された前記サービスセット識別子及び接続パスワードを前記接続待ちデバイスに送信するステップは、
入力された前記サービスセット識別子及び接続パスワードに基づいて前記サーバに接続するステップと、
前記サーバへの接続が成功した場合、入力された前記サービスセット識別子及び接続パスワードを前記接続待ちデバイスに送信するステップと
を含むことを特徴とする請求項１に記載のネットワーク接続方法。
【請求項４】
前記方法は、更に、
前記サーバへの接続が失敗した場合、前記ルータへの接続が失敗したことを通知するステップ
を含むことを特徴とする請求項３に記載のネットワーク接続方法。
【請求項５】
端末に適用されるネットワーク接続方法であって、
前記方法は、
接続待ちのデバイスから送信されるネットワーク接続要求を受信した場合、接続しようとするルータのサービスセット識別子及び接続パスワードを入力するように通知するステップと、
入力された前記サービスセット識別子及び接続パスワードに基づいてサーバに接続するステップと、
前記サーバへの接続が成功した場合、入力された前記ルータのサービスセット及び接続パスワードを前記接続待ちデバイスに送信し、前記接続待ちデバイスは受信した前記サービスセット識別子及び接続パスワードに基づいて対応する前記サーバに接続するステップと
を含むことを特徴とするネットワーク接続方法。
【請求項６】
端末に適用されるネットワーク接続装置であって、
前記装置は、
接続待ちのデバイスから送信されるネットワーク接続要求を受信した場合、接続しようとするルータのサービスセット識別子及び接続パスワードを入力するように通知する通知モジュールと、
入力された前記サービスセット識別子及び接続パスワードを予め記憶されたネットワーク接続履歴データにおけるサービスセット識別子及び接続パスワードと比較する比較モジュールと、
入力された前記サービスセット識別子及び接続パスワードが前記ネットワーク接続履歴データにおけるサービスセット識別子及び接続パスワードに一致する場合、入力された前記サービスセット識別子及び接続パスワードを前記接続待ちデバイスに送信し、前記接続待ちデバイスは、受信した前記サービスセット識別子及び接続パスワードに基づいて対応するサーバに接続する送信モジュールと
を備えることを特徴とするネットワーク接続装置。
【請求項７】
前記装置は、更に表示モジュールを含み、
前記通知モジュールは、入力された前記サービスセット識別子及び接続パスワードが前記ネットワーク接続履歴データにおけるサービスセット識別子及び接続パスワードに一致していない場合、入力されたサービスセット識別子及び接続パスワード、又は、ネットワーク接続履歴データにおけるサービスセット識別子及び接続パスワードを選択するように通知し、
前記表示モジュールは、前記ネットワーク接続履歴データにおけるサービスセット識別子及び接続パスワードに対する選択操作を受信した場合、選択された前記ネットワーク接続履歴データにおけるサービスセット識別子及び接続パスワードを表示しないようにし、
前記送信モジュールは、選択された前記ネットワーク接続履歴データにおけるサービスセット識別子及び接続パスワードを前記接続待ちデバイスに送信する
ことを特徴とする請求項６に記載のネットワーク接続装置。
【請求項８】
前記送信モジュールは、
入力された前記サービスセット識別子及び接続パスワードに基づいて前記サーバに接続する接続サブモジュールと、
前記サーバへの接続が成功した場合、入力された前記サービスセット識別子及び接続パスワードを前記接続待ちデバイスに送信する送信サブモジュールと
を有することを特徴とする請求項６に記載のネットワーク接続装置。
【請求項９】
前記通知モジュールは、前記サーバへの接続が失敗した場合、前記ルータへの接続が失敗したことを通知することを特徴とする請求項８に記載のネットワーク接続装置。
【請求項１０】
端末に適用されるネットワーク接続装置であって、
前記装置は、
接続待ちのデバイスから送信されるネットワーク接続要求を受信した場合、接続しようとするルータのサービスセット識別子及び接続パスワードを入力するように通知する通知モジュールと、
前記入力されたサービスセット識別子及び接続パスワードに基づいてサーバに接続する接続モジュールと、
前記サーバへの接続が成功した場合、前記入力されたルータのサービスセット及び接続パスワードを前記接続待ちデバイスに送信し、前記接続待ちデバイスは受信した前記サービスセット識別子及び接続パスワードに基づいて対応する前記サーバに接続する送信モジュールと
を備えることを特徴とするネットワーク接続装置。
【請求項１１】
プロセッサと、
プロセッサが実行可能な指令を記憶するためのメモリと
を備え、
前記プロセッサは、
接続待ちのデバイスから送信されるネットワーク接続要求を受信した場合、接続しようとするルータのサービスセット識別子及び接続パスワードを入力するように通知し、
入力された前記サービスセット識別子及び接続パスワードをネットワーク接続履歴データにおけるサービスセット識別子及び接続パスワードと比較し、
入力された前記サービスセット識別子及び接続パスワードが前記ネットワーク接続履歴データにおけるサービスセット識別子及び接続パスワードに一致する場合、入力された前記サービスセット識別子及び接続パスワードを前記接続待ちデバイスに送信し、前記接続待ちデバイスは受信した前記サービスセット識別子及び接続パスワードに基づいて対応するサーバに接続する
ように構成されることを特徴とするネットワーク接続装置。
【請求項１２】
プロセッサと、
プロセッサが実行可能な指令を記憶するためのメモリと
を備え、
前記プロセッサは、
接続待ちのデバイスから送信されるネットワーク接続要求を受信した場合、接続しようとするルータのサービスセット識別子及び接続パスワードを入力するように通知し、
入力された前記サービスセット識別子及び接続パスワードに基づいてサーバに接続し、
前記サーバへの接続が成功した場合、入力された前記ルータのサービスセット及び接続パスワードを前記接続待ちデバイスに送信し、前記接続待ちデバイスは受信した前記サービスセット識別子及び接続パスワードに基づいて対応する前記サーバに接続する
ように構成されることを特徴とするネットワーク接続装置。
【請求項１３】
プロセッサに実行されることにより、請求項１から請求項５のいずれか１項に記載のネットワーク接続方法を実現する記録媒体に記録されたプログラム。
【請求項１４】
請求項１３に記載のプログラムが記録された記録媒体。
【国際調査報告】
2017514428.tif 000012
2017514428.tif 000013
2017514428.tif 000014
2017514428.tif 000015